(57)【要約】【課題】第１カードと、この第１カードよりも幅寸法の大きい第２カードを、ケース対して選択的に装着可能であり、ケースには第１，第２カードに共通の挿入口が設けられるカード用コネクタにおいて、第１カードを挿入口の幅方向における一方側に寄せなくても挿入口に挿入できるカード用コネクタの提供。【解決手段】ケース１内の幅方向において対向して対をなすガイド用可動体２０Ａ，２０Ｂを設け、初期状態における対のガイド用可動体２０Ａ，２０Ｂの間隔寸法が、第１カード１００の幅寸法に対応する間隔寸法に保持され、作動状態における対のガイド用可動体２０Ａ，２０Ｂの間隔寸法が、第２カード１０１の幅寸法に対応する間隔寸法に拡張されるようにした。【選択図】図８
2007123115.tif 000002
【特許請求の範囲】
【請求項１】
第１カードと、この第１カードよりも幅寸法の大きい第２カードを、ケースに対して選択的に装着可能であり、前記ケースに前記第１，第２カードに共通の挿入口が設けられるカード用コネクタであって、
前記ケース内で幅方向において対向して対をなすガイド用可動体を含み、初期状態における前記対のガイド用可動体の間隔寸法を前記第１カードの幅寸法に対応する間隔寸法に保持し、作動状態における前記対のガイド用可動体の間隔寸法を、前記第２カードの幅寸法に対応する間隔寸法に拡張する可動ガイド手段を備えることを特徴とするカード用コネクタ。
【請求項２】
請求項１に記載の発明において、
前記可動ガイド手段は、
前記初期状態に自動復帰するように前記ガイド用可動体を付勢する可動ガイド用付勢手段と、
前記第１カードの挿入時に前記初期状態に固定されるよう前記ガイド用可動体をロックし、前記第２カードの挿入時に前記ガイド用可動体のロックを解除するロック手段とを備えることを特徴とするカード用コネクタ。
【請求項３】
請求項１に記載の発明において、
前記第１カードの長さ寸法は前記第２カードの長さ寸法よりも小さく、
前記第１カードの挿入方向への移動を、前記第２カードの挿入方向への移動の限界位置よりも前記挿入口側に規制する挿入規制手段を備え、
この挿入規制手段は、
前記第１カードの挿入方向への移動を規制する挿入規制姿勢と、前記第２カードの挿入方向への移動を許容する挿入許容姿勢とに変化可能な挿入規制用可動体と、
前記挿入規制姿勢へ自動復帰するよう前記挿入規制用可動体を付勢する挿入規制用付勢手段とを備えることを特徴とするカード用コネクタ。
【請求項４】
請求項２に記載の発明において、
前記第１カードの厚さ寸法は前記第２カードの厚さ寸法よりも小さく、
前記ロック手段は、
前記第２カードの厚さ寸法が前記第１カードの厚さ寸法よりも大きいことを検知することによって前記第２カードの挿入の検知し、前記ガイド用可動体のロックを解除するロック用可動体と、
前記第２カードの厚さ寸法が前記第１カードの厚さ寸法よりも大きいことを検知できる姿勢に自動復帰するよう前記ロック用可動体を付勢するロック用付勢手段とを備えることを特徴とするカード用コネクタ。
【請求項５】
請求項２に記載の発明において、
前記第１カードの厚さ寸法は前記第２カードの厚さ寸法よりも小さく、
前記ガイド用可動体には、前記第１カードの厚さ方向の移動を規制する突出部が形成されることを特徴とするカード用コネクタ。
【請求項６】
請求項１に記載の発明において、
前記ケースに挿入された前記第１，第２カードを排出方向へ移動させることが可能な排出手段を備え、
この排出手段は、
前記第１，第２カードの挿入・排出方向へ移動可能に設けられ前記第１，第２カードにより押圧されて移動するスライダと、
このスライダを排出方向へ付勢する排出用付勢手段と、
前記ケース内の所定位置に前記スライダをロックするスライダロック手段と、
前記スライダのロックを解除するスライダロック解除手段とを備えることを特徴とするカード用コネクタ。
【請求項７】
請求項３に記載の発明において、
前記ケースに挿入された前記第１，第２カードを排出方向へ移動させることが可能な排出手段を備え、
この排出手段は、
前記第１，第２カードの挿入・排出方向へ移動可能に設けられ前記第１，第２カードにより押圧されて移動するスライダと、このスライダを排出方向へ付勢する排出用付勢手段と、前記ケース内の所定位置に前記スライダをロックするスライダロック手段と、前記スライダのロックを解除するスライダロック解除手段とを備え、
前記挿入規制用可動体は前記スライダに組み付けられ、
前記ケースは、
前記挿入規制手段の前記挿入規制用可動体が前記挿入規制姿勢の状態で挿入・排出方向へ移動するのをガイドする第１ガイド溝と、
前記挿入規制用可動体が前記挿入規制姿勢から前記挿入許容姿勢に変化するのをガイドする第２ガイド溝と、
前記挿入規制用可動体が前記挿入許容姿勢の状態で挿入・排出方向へ移動するのをガイドする第３ガイド溝と、
前記第２カードの装着に伴って前記スライダが前記スライダロック手段によりロックされた状態で前記第２カードが抜き取られた場合に、前記挿入規制用可動体が前記挿入規制姿勢に復帰しつつ前記第３ガイド溝から前記第１ガイド溝へ移動するのをガイドする第４ガイド溝とを備えることを特徴とするカード用コネクタ。
【請求項８】
請求項７に記載の発明において、
前記挿入規制用可動体が前記ガイド用可動体に組み付けられ、このガイド用可動体が前記スライダに組み付けられることを特徴とするカード用コネクタ。
【発明の詳細な説明】
【技術分野】
【０００１】
本発明は、電子機器で作成されたデータを記録可能なカードが装着されるコネクタであって、幅寸法の異なる２種類のカードを選択的に挿入可能な挿入口がケースに形成されたカード用コネクタに関する。
【背景技術】
【０００２】
カード用コネクタの従来技術としては、特許文献１に示すものがある。この従来技術は、第１カードと、この第１カードよりも幅寸法の大きい第２カードを、ケースに対して選択的に装着可能であり、ケースに第１，第２カードに共通の挿入口が設けられるカード用コネクタである。ケース内には、第１カードの幅方向への移動を規制してこの第１カードの挿入をガイドする第１ガイド手段と、第２カードの幅方向への移動を規制してこの第２カードの挿入をガイドする第２ガイド手段とを備えている。
【０００３】
第１ガイド手段は、ケース内で幅方向において対向する内側壁の一方と、他方の内側壁に設けられた可動体とから構成されている。この可動体は付勢手段により一方の内側壁方向へ突出するよう付勢されているとともに、他方の内側壁に設けられた凹部に格納可能になっている。第２ガイド手段は、挿入口の輪郭を形成するケースの部分や、ケース内で幅方向において対向する内側壁等から構成されている。
【０００４】
このように構成された従来技術では、第２カードの挿入時、可動体は、挿入されてきた第２カードの前端部により付勢手段の付勢に抗して押圧されて、凹部に格納され、これによりケースの奥に向かう第２カードの移動が許容される。その後、第２カードは、挿入口の輪郭を形成するケースの部分や、ケース内で幅方向において対向する内側壁等によりガイドされながら、つまり第２ガイド手段によりガイドされながら、ケースの奥に向かって移動していく。
【０００５】
また、第１カードの挿入時、第１カードは、ケース内の一方側の内側壁に可動体によって押付けられるようになるまで、使用者によりケースの幅方向における一方側に寄せられた状態に保持されながらケースの奥に押し込まれていく。そして、可動体によりケース内の一方側の内側壁に押付けられた状態になった後は、可動体と一方の内側壁とによってガイドされながら、つまり第１ガイド手段によりガイドされながら、ケースの奥に向かって移動していく。
【特許文献１】２００４−６２７１５号公報（図４３，５２）
【発明の開示】
【発明が解決しようとする課題】
【０００６】
前述したように従来技術では、使用者が第１カードを挿入口の幅方向における一方側に寄せておく必要があり、挿入しにくいという問題があった。
【０００７】
本発明は前述の問題を考慮してなされたものであり、その目的は、第１カードと、この第１カードよりも幅寸法の大きい第２カードを、ケース対して選択的に装着可能であり、ケースには第１，第２カードに共通の挿入口が設けられるカード用コネクタにおいて、第１カードを挿入口の幅方向における一方側に寄せなくても挿入口に挿入できるカード用コネクタを提供することにある。
【課題を解決するための手段】
【０００８】
〔１〕本発明は、第１カードと、この第１カードよりも幅寸法の大きい第２カードを、ケースに対して選択的に装着可能であり、前記ケースに前記第１，第２カードに共通の挿入口が設けられるカード用コネクタであって、前記ケース内で幅方向において対向して対をなすガイド用可動体を含み、初期状態における前記対のガイド用可動体の間隔寸法を前記第１カードの幅寸法に対応する間隔寸法に保持し、作動状態における前記対のガイド用可動体の間隔寸法を、前記第２カードの幅寸法に対応する間隔寸法に拡張する可動ガイド手段を備えることを特徴とする。
【０００９】
このように構成された本発明では、可動ガイド手段のガイド用可動体が、ケース内の幅方向において対向して対をなしている。初期状態における対のガイド用可動体間の間隔寸法は、第１カードの幅寸法に対応する間隔寸法に保持され、作動状態における対のガイド用可動体間の間隔寸法は、第２カードの幅寸法に対応する間隔寸法に拡張される。つまり、ケースの幅方向において対向する対のガイド用可動体の協働により、ケース内に形成されるカードの収納スペースの幅寸法が狭まって、第１カードの挿入をガイドする状態になる。これにより、第１カードを挿入口の幅方向における一方側に寄せなくても挿入口に挿入できる。
【００１０】
〔２〕「〔１〕」に記載の発明において、前記可動ガイド手段は、前記初期状態に自動復帰するように前記ガイド用可動体を付勢する可動ガイド用付勢手段と、前記第１カードの挿入時に前記初期状態に固定されるよう前記ガイド用可動体をロックし、前記第２カードの挿入時に前記ガイド用可動体のロックを解除するロック手段とを備えることを特徴とする。
【００１１】
このように構成された本発明では、ロック手段が、第１カードの挿入時に初期状態に固定されるようにガイド用可動体をロックし、第２カード挿入時にガイド用可動体のロックを解除するので、第１カードの挿入をガイドする状態と、第２カードの挿入をガイドする状態とを確実に切換えることができる。
【００１２】
〔３〕「〔１〕」に記載の発明において、前記第１カードの長さ寸法は前記第２カードの長さ寸法よりも小さく、前記第１カードの挿入方向への移動を、前記第２カードの挿入方向への移動の限界位置よりも前記挿入口側に規制する挿入規制手段を備え、この挿入規制手段は、前記第１カードの挿入方向への移動を規制する挿入規制姿勢と、前記第２カードの挿入方向への移動を許容する挿入許容姿勢とに変化可能な挿入規制用可動体と、前記挿入規制姿勢へ自動復帰するよう前記挿入規制用可動体を付勢する挿入規制用付勢手段とを備えることを特徴とする。
【００１３】
このように構成された本発明では、第１，第２カードのどちらもケースに挿入されていない状態において、挿入規制手段の挿入規制用可動体は挿入規制用付勢手段により付勢されて挿入規制姿勢に保持されている。この状態で第１カードが挿入口から挿入されると、挿入規制用可動体は第１カードの挿入方向への移動の限界位置を第２カードの挿入方向への移動の限界位置よりも挿入口側に規制する。また、第２カードが挿入口から挿入されると、挿入規制可動体は第２カードにより押圧されて挿入規制用付勢手段の弾性力に抗して挿入規制姿勢から挿入許容姿勢に変化し、第１カードの挿入方向への移動の限界位置よりもケースの奥への第２カードの移動を許容する。つまり、この発明では、第２カードの挿入方向への移動を妨げることなく、第１カードがケースの奥側に入り込み過ぎるのを防止することができる。
【００１４】
〔４〕「〔２〕」に記載の発明において、前記第１カードの厚さ寸法は前記第２カードの厚さ寸法よりも小さく、前記ロック手段は、前記第２カードの厚さ寸法が前記第１カードの厚さ寸法よりも大きいことを検知することによって前記第２カードの挿入の検知し、前記ガイド用可動体のロックを解除するロック用可動体と、前記第２カードの厚さ寸法が前記第１カードの厚さ寸法よりも大きいことを検知できる姿勢に自動復帰するよう前記ロック用可動体を付勢するロック用付勢手段とを備えることを特徴とする。
【００１５】
このように構成された本発明では、第１，第２カードのどちらもケースに挿入されていない状態において、ロック用可動体はロック用付勢手段により付勢されることで、第２カードの厚さ寸法が第１カードの厚さ寸法よりも大きいことを検知できる姿勢に保持されていて、ガイド用可動体をロックしている。この状態において、第２カードが挿入口に挿入された場合、ロック用可動体は、第２カードの厚さ寸法が第１カードの厚さ寸法よりも大きいことを検知することによって第２カードの挿入を検知し、ガイド用可動体のロックを解除する。これにより、第１，第２カードの厚さ寸法の差に応じて、ガイド用可動体のロックとロックの解除とを確実に切換えることができる。
【００１６】
〔５〕「〔２〕」に記載の発明において、前記第１カードの厚さ寸法は前記第２カードの厚さ寸法よりも小さく、前記ガイド用可動体には、前記第１カードの厚さ方向の移動を規制する突出部が形成されることを特徴とする。
【００１７】
このように構成された本発明では、第２カードの厚さ寸法に対応するよう形成されたケース内の空間における第１カードの厚さ方向への移動を、突出部が規制するので、第１カードが厚さ方向において傾斜した状態で挿入されることを防止できる。
【００１８】
〔６〕「〔１〕」に記載の発明において、前記ケースに挿入された前記第１，第２カードを排出方向へ移動させることが可能な排出手段を備え、この排出手段は、前記第１，第２カードの挿入・排出方向へ移動可能に設けられ前記第１，第２カードにより押圧されて移動するスライダと、このスライダを排出方向へ付勢する排出用付勢手段と、前記ケース内の所定位置に前記スライダをロックするスライダロック手段と、前記スライダのロックを解除するスライダロック解除手段とを備えることを特徴とする。
【００１９】
このように構成された本発明では、排出手段のスライダは第１カードや第２カードとともにスライダ用付勢手段の弾性力に抗してケース内を挿入方向へ移動し、所定位置でスライダロック手段によりロックされる。スライダのロックがスライダロック解除手段により解除されると、スライダは排出用付勢手段により付勢されて、第１カードや第２カードとともに排出方向に移動する。これにより、ケースから第１カードや第２カードをケースから抜き取りやすい状態にすることができる。
【００２０】
〔７〕「〔３〕」記載の発明において、前記ケースに挿入された前記第１，第２カードを排出方向へ移動させることが可能な排出手段を備え、この排出手段は、前記第１，第２カードの挿入・排出方向へ移動可能に設けられ前記第１，第２カードにより押圧されて移動するスライダと、このスライダを排出方向へ付勢する排出用付勢手段と、前記ケース内の所定位置に前記スライダをロックするスライダロック手段と、前記スライダのロックを解除するスライダロック解除手段とを備え、前記挿入規制用可動体は前記スライダに組み付けられ、前記ケースは、前記挿入規制手段の前記挿入規制用可動体が前記挿入規制姿勢の状態で挿入・排出方向へ移動するのをガイドする第１ガイド溝と、前記挿入規制用可動体が前記挿入規制姿勢から前記挿入許容姿勢に変化するのをガイドする第２ガイド溝と、前記挿入規制用可動体が前記挿入許容姿勢の状態で挿入・排出方向へ移動するのをガイドする第３ガイド溝と、前記第２カードの装着に伴って前記スライダが前記スライダロック手段によりロックされた状態で前記第２カードが抜き取られた場合に、前記挿入規制用可動体が前記挿入規制姿勢に復帰しつつ前記第３ガイド溝から前記第１ガイド溝へ移動するのをガイドする第４ガイド溝とを備えることを特徴とする。
【００２１】
このように構成された本発明では、スライダに挿入規制用可動体が組み付けられることで、スライダと挿入規制用可動体とをケースに一度に組み込むことができるので、カード用コネクタの組立性を向上させることができる。
【００２２】
また、第１ガイド溝は挿入規制用可動体が挿入規制姿勢の状態で挿入・排出方向へ移動するのをガイドし、第２ガイド溝は挿入規制用可動体が挿入規制姿勢から挿入許容姿勢に変化するのをガイドし、第３ガイド溝は挿入規制用可動体が挿入許容姿勢の状態で挿入・排出方向へ移動するのをガイドする。これらにより、スライダの挿入・排出方向への移動に伴う挿入規制用可動体の動作不良を防止することができる。
【００２３】
また、第４ガイド溝は、第２カードの装着に伴ってスライダがスライダロック手段によりロックされた状態で第２カードが抜き取られた場合に、挿入規制用可動体が挿入規制姿勢に復帰しつつ第３ガイド溝から第１ガイド溝へ移動するのをガイドする。これにより、スライダのロックが解除されないまま第２カードが抜き取られた後でも、第１カードをケースに装着することができる。
【００２４】
〔８〕「〔７〕」に記載の発明において、前記挿入規制用可動体が前記ガイド用可動体に組み付けられ、このガイド用可動体が前記スライダに組み付けられることを特徴とする。
【００２５】
このように構成された本発明では、スライダ、挿入規制用可動体、ガイド用可動体をまとめて一度にケースに組み込むことができるので、カード用コネクタの組立性を向上させることができる。
【発明の効果】
【００２６】
本発明では、前述したように、第１カードを挿入口の幅方向における一方側に寄せなくても挿入口に挿入することができる。これにより、第１カードのケースへの挿入性を向上させることができる。
【発明を実施するための最良の形態】
【００２７】
本発明のカード用コネクタの最良の実施形態について図を用いて説明する。
【００２８】
図１は本発明のカード用コネクタの最良の実施形態の外観を示す４面図であって、（ａ）は上面図、（ｂ）は左側面図、（ｃ）は前面図、（ｄ）は背面図である。図２は図１に示す実施形態に挿入される第１カードの上面図である。図３は図１に示す実施形態に挿入される第２カードの上面図である。図４は図１に示す実施形態の分解斜視図である。図５は図１のＶ−Ｖ拡大断面図である。図６は図１に示す実施形態に備えられるスライダの５面図であり、（ａ）は上面図、（ｂ）は左側面図、（ｃ）は右側面図、（ｄ）は前面図、（ｅ）は背面図である。図７は図６に示すスライダの下面図である。図８は図１に示す実施形態から金属カバーを取除いてスライダ（１点鎖線）を透かした平面図である。なお、本実施形態の上下左右の向きを、図１に示すように決めてあるが、この向きは本実施形態を使用する際の向きを定めたものではない。
【００２９】
図１に示すように、本実施形態はケース１により外形が形成されている。図１（ｄ）に示すように、ケース１の背面には、後述する第１，第２カードが挿入される挿入口２が設けられている。
【００３０】
図２，３に示すように、図２に示す第１カード１００の幅寸法、長さ寸法のそれぞれは、図３に示す第２カード１０１の幅寸法、長さ寸法のそれぞれよりも小さい。第１カード１００の厚さ寸法も、第２カード１０１の厚さ寸法よりも小さい。挿入口２は、第２カード１０１の幅寸法及び厚さ寸法に対応するよう形成されている。
【００３１】
図４に示すように、ケース１は、第１カード１００の端子群（図示しない）に接触する第１端子群１６、及び、第２カード１０１の端子群（図示しない）に接触する第２端子群１７が、底板９にインサート成形により設けられた合成樹脂製のケース本体５と、このケース本体５を上方から覆ってケース１の上面を形成する金属製カバー１８とを結合してなる。
【００３２】
本実施形態は、ケース１内で幅方向において対向して対をなすガイド用可動体２０Ａ，２０Ｂを備えている。これらのガイド用可動体２０Ａ，２０Ｂは合成樹脂製の部材であり、第１，第２カード１００，１０１の挿入・排出方向に沿って延びた形状をしている。また、このガイド用可動体２０Ａ，２０Ｂは、ケース１の奥側で幅方向に回動可能に支持されている。ガイド用可動体２０Ａの回動範囲は、挿入口２の左側の輪郭を形成する左縁部３よりも、ケース１の幅方向における中央側に所定量突出する突出姿勢から、ケース１の幅方向において左縁部３とほぼ同じ位置に退避した退避姿勢までに設定されている。ガイド用可動体２０Ｂの回動範囲も同様に、挿入口２の右側の輪郭を形成する右縁部４よりも、ケース１の幅方向における中央側に所定量突出する突出姿勢から、ケース１の幅方向において右縁部４とほぼ同じ位置に退避した退避姿勢まである。つまり、対のガイド用可動体２０Ａ，２０Ｂの両方が突出姿勢になった状態が前記初期状態であり、対のガイド用可動体２０Ａ，２０Ｂの両方が退避姿勢になった状態が前記作動状態である。
【００３３】
また、ガイド用可動体２０Ａ，２０Ｂのそれぞれの挿入口２側の端部は、テーパ面２１Ａ，２１Ｂになっている。これらのテーパ面２１Ａ，２１Ｂは、ケース１の奥側の部分よりも挿入口２側の部分の方がケース１の幅方向における中央から離れるように傾斜している。
【００３４】
また、本実施形態は、前記初期状態に自動復帰するようガイド用可動体２０Ａ，２０Ｂのそれぞれを付勢する可動ガイド用付勢手段、すなわち、ガイド用可動体２０Ａ，２０Ｂのそれぞれの回動軸の外周側で、突出姿勢に自動復帰するようガイド用可動体２０Ａ，２０Ｂのそれぞれを付勢するねじりコイルばね２４Ａ，２４Ｂを備えている。
【００３５】
また、本実施形態は、第１カード１００の挿入時に初期状態に固定されるようガイド用可動体２０Ａ，２０Ｂのそれぞれをロックし、第２カード１０１の挿入時にガイド用可動体２０Ａ，２０Ｂのそれぞれのロックを解除するロック手段を備えている。
【００３６】
このロック手段は、ケース１内の左右両側部のそれぞれに回動可能に設けられるロック用可動体２５Ａ，２５Ｂを備えている。ロック用可動体２５Ａには、このロック用可動体２５Ａの回動に伴いケース本体５に対して起伏する板部２６Ａが形成されている。ロック用可動体２５Ａの回動範囲は、板部２６Ａの姿勢が、挿入口２からケース１の奥に向かって上り勾配で底板９に対して所定角度の傾斜面を形成する姿勢（図１３（ｂ）参照）から、底板９に形成された開口部１０に格納される姿勢（図１７（ｂ）参照）までに設定されている。ロック用可動体２５Ｂにも板部２６Ａと同様の板部２６Ｂが形成されている。
【００３７】
また、ロック手段は、板部２６Ａが前記傾斜面を形成した状態に自動復帰するようロック用可動体２５Ａを付勢するロック用付勢手段、すなわち、ねじりコイルばね２８Ａを備えている。ねじりコイルばね２８Ａは、ロック用可動体２５Ａの回動軸の外周側で、板部２６Ａが前記傾斜面を形成する姿勢に自動復帰するようロック用可動体２５Ａを付勢している。ロック用可動体２５Ｂも同様に、ねじりコイルばね２８Ｂにより付勢されている。
【００３８】
板部２６Ａ，２６Ｂが前記傾斜面を形成した状態において、板部２６Ａ，２６Ｂのそれぞれとスライダ３７（後述）との間には、第１カード１００の厚さ寸法よりも大きく、第２カード１０１の厚さ寸法よりも小さい間隔、例えば第１カード１００の厚さ寸法とほぼ同じ寸法の間隔が形成されるようなっている（図９参照）。つまり、ロック用可動体２５Ａ，２５Ｂのそれぞれは、板部２６Ａ，２６Ｂが前記傾斜面を形成した姿勢から、底板９の開口部１０に格納される姿勢に変化したことが、第２カード１０１が挿入されたことを検知したことになる。
【００３９】
また、ロック用可動体２５Ａには、突起部２７Ａが形成されている。この突起部２７Ａは、突出姿勢になった状態のガイド用可動体２０Ａよりもケース本体５の左側壁６に近い位置に配置されている。また、この突起部２７Ａは、突出姿勢になった状態のガイド用可動体２０Ａに対して、板部２６Ａが前記傾斜面を形成したときに接するようになっていて、板部２６Ａが底板９の開口部１０に格納されたときにガイド用可動体２０Ａよりも下方に位置するようになっている。ロック用可動体２５Ｂにも突起部２７Ａと同様の突起部２７Ｂが形成されている。
【００４０】
つまり、突起部２７Ａ，２７Ｂのそれぞれは、板部２６Ａ，２６Ｂのそれぞれが前記傾斜面を形成する姿勢のときに、すなわち、第２カード１０１の挿入が検知されていない姿勢のときに、ガイド用可動体２０Ａ，２０Ｂのそれぞれが退避姿勢になるのを阻止、すなわち、初期状態の対のガイド用可動体２０Ａ，２０Ｂをロックするようになっている。そして、突起部２７Ａ，２７Ｂのそれぞれは、挿入された第２カード１０１により板部２６Ａ，２６Ｂのそれぞれが押し倒されて開口部１０に格納されたときに、すなわち、第２カード１０１の挿入が検知されたときに、ガイド用可動体２０Ａ，２０Ｂのロックを解除するようになっている。
【００４１】
本実施形態では、対のガイド用可動体２０Ａ，２０Ｂと、ねじりコイルばね２４Ａ，２４Ｂと、ロック用可動体２５Ａ，２５Ｂと、ねじりコイルばね２８Ａ，２８Ｂとから、初期状態における対のガイド用可動体２０Ａ，２０Ｂ間の間隔寸法を第１カード１００の幅寸法に対応する間隔寸法に保持し、作動状態における対のガイド用可動体２０Ａ，２０Ｂ間の間隔寸法を、第２カード１０１の幅寸法に対応する間隔寸法に拡張する可動ガイド手段を構成してある。
【００４２】
また、本実施形態では、ガイド用可動体２０Ａ，２０Ｂのそれぞれに、第１カード１００の厚さ方向における移動を規制する舌状突出部２２Ａ，２２Ｂ（図８参照）が形成されている。これらの舌状突出部２２Ａ，２２Ｂは、ケース１内における第２カード１０１の挿入軌道内に突出している。また、舌状突出部２２Ａ，２２Ｂのそれぞれの上面の位置は、前記傾斜面を形成した板部２６Ａ，２６Ｂの上端よりも低くなっている（図９参照）。また、舌状突出部２２Ａ，２２Ｂのそれぞれの挿入口２側の面は、テーパ面２３Ａ，２３Ｂになっている。これらのテーパ面２３Ａ，２３Ｂは、ケース１の奥側の部分よりも挿入口２側の部分の方がケース１の幅方向における中央から離れるように傾斜している。
【００４３】
また、本実施形態では、第１カード１００の挿入方向への移動の限界位置を、第２カード１０１の挿入方向への移動の限界位置よりも挿入口２側に規制する挿入規制手段を備えている。この挿入規制手段は、ケース１内の左右両側部のそれぞれに設けられている。
【００４４】
ケース１内の左側に設けられる挿入規制手段は、図４，８に示すように、第１カード１００の挿入方向への移動を規制する挿入規制姿勢と、第２カード１０１の挿入方向への移動を許容する挿入許容姿勢とに変化可能に設けられる挿入規制用可動体２９Ａと、挿入規制姿勢へ自動復帰するように挿入規制用可動体２９Ａを付勢する挿入規制用付勢手段とを備えている。
【００４５】
挿入規制用可動体２９Ａは、フック３０Ａと第２カード検知部材３３Ａとが底板９に沿った相対的な回動が可能となるよう結合している。第２カード検知部材３３Ａはフック３０Ａよりも挿入口２側に配置され、底板９に沿った相対的な回動が可能となるようガイド用可動体２０Ａと結合している。また、フック３０Ａの下面には下部突起３１が設けられていて、この下部突起３１の移動が、ケース１の底板９に設けられた第１ガイド溝１２Ａ（後述）により規制されることによって、ケース１の奥側へのフック３０Ａの回動が規制されるようになっている。これらより、挿入規制用可動体２９Ａは、フック３０Ａが第１カード１００の挿入軌道内に突出した状態である前記挿入規制姿勢と、ケース本体５の底板９とガイド用可動体２０Ａとの間に格納された状態である前記挿入許容姿勢とに変化できるようになっている。
【００４６】
図５に示すように、挿入規制姿勢のとき、ガイド用可動体２０Ａから突出した第２カード検知部材３３Ａの部分の上面と、スライダ３７との間には、第１カード１００は挿入できるが、第２カード１０１は挿入できない間隔、例えば、第１カード１００の厚さ寸法とほぼ同じ寸法の間隔が形成されるようになっている（図１３参照）。ガイド用可動体２０Ｂから突出した第２カード検知部材３３Ｂの部分の上面と、スライダ３７との間にも、同様の間隔が形成されるようになっている。
【００４７】
また、第２カード検知部材３３Ａには、ケース１の奥側の部分よりも挿入口２側の部分の方が、ケース１の幅方向における中央から離れるように傾斜するテーパ面３４Ａが形成されている。つまり、第２カード検知部材３３Ａが自身のテーパ面３４Ａを挿入方向へ押圧されて、ケース１の幅方向における中央から離れる方向へ回動することが、第２カード１０１の挿入を検知することになるとともに、挿入規制用可動体２９Ａを挿入規制姿勢から挿入許容姿勢に変化させることになる。第２カード検知部材３３Ｂにもテーパ面３４Ａと同様のテーパ面３４Ｂが形成されている。
【００４８】
前記挿入規制用付勢手段は、図４に示すように、フック３０Ａ及び第２カード検知部材３３Ａのそれぞれの回動軸の外周側で、フック３０Ａ及び第２カード検知部材３３Ａのそれぞれがガイド用可動体２０Ａよりもケース１の幅方向における中央側へ突出した姿勢、すなわち挿入規制用可動体２９Ａが前記挿入規制姿勢に自動復帰するよう、挿入規制用可動体２９Ａを付勢するねじりコイルばね３５Ａ，３６Ａからなる。
【００４９】
ケース１内の右側に設けられる挿入規制手段は、挿入規制用可動体２９Ａ、ねじりコイルばね３５Ａ，３６Ａと同様の、挿入規制用可動体２９Ｂ、ねじりコイルばね３５Ｂ，３６Ｂを備えている。ただし、この右側の挿入規制手段は、フック３０Ｂの上面に設けられた上部突起３２が、スライダ３７に設けられたガイド孔４４により移動を規制されることによって、ケース１の奥側へのフック３０Ｂの移動が規制されるようになっている点で、前述した左側の挿入規制手段と相違している。
【００５０】
また、本実施形態は、図４に示すように、ケース１に挿入された第１，第２カード１００，１０１を排出方向へ移動させることが可能な排出手段を備えている。この排出手段は、スライダ３７と、圧縮コイルばね４６と、ロック部材４９とを備えている。
【００５１】
スライダ３７は、第１，第２カード１００，１０１の挿入・排出方向へ移動可能に設けられ第１，第２カード１００，１０１により押圧されて挿入方向へ移動するものである。圧縮コイルばね４６は、スライダ３７とケース本体５との間で、スライダ３７を排出方向へ付勢する排出用付勢手段である。
【００５２】
図６，７に示すように、スライダ３７の左側部には円柱部４５が設けられている。図１に示すように、ケース本体５には円柱部４５と向かい合う円柱部８が設けられている。これらの円柱部８，４５が圧縮コイルばね４６に挿入されて、圧縮コイルばね４６がケース本体５とスライダ３７との間に位置決めされている。
【００５３】
図７に示すように、スライダ３７は、第２カード１０１の前端部に合致する形状の内壁面４２と、ケース本体５の左側壁６及び右側壁７のそれぞれに摺接する左側壁３８，３９及び右側壁４０，４１とを有している。
【００５４】
また、図６（ａ）に示すように、スライダ３７は、ハート型カム溝４３を有している。このハート型カム溝４３には、金属線材の両端を同じ方向に折り曲げてなる前記ロック部材４９の一端が、挿入されている。ロック部材４９の他端は、ケース本体５の前端部に設けられた支持溝１１に回転可能に挿入されている。図１（ａ）に示すように金属製カバー１８には、ロック部材４９をハート型カム溝４３及び支持溝１１に押付ける片持ちばね部１９が形成されている。これらのハート型カム溝４３とロック部材４９と片持ちばね部１９は、ケース１内の所定位置にスライダ３７をロックするスライダロック手段、及び、スライダ３７のロックを解除するスライダロック解除手段とを構成している。
【００５５】
また、図６（ｅ）、図７に示すように、スライダ３７には、ガイド用可動体２０Ａ，２０Ｂのそれぞれに形成された軸孔２０ａ，２０ｂに対応する回動軸４７，４８が設けられていて、ガイド用可動体２０Ａ，２０Ｂのそれぞれがスライダ３７に組み付けられるようになっている。
【００５６】
また、本実施形態では、図４，８に示すように、ケース本体５の底板９の左側部には、前記第１ガイド溝１２Ａの他、第２〜第４ガイド溝１３Ａ〜１５Ａが設けられている。
【００５７】
第１ガイド溝１２Ａは、前述したようにフック３０Ａに設けられた下部突起３１の移動を規制するだけのものではなく、挿入規制用可動体２９Ａが挿入規制姿勢の状態で挿入・排出方向へ移動するのを、下部突起３１と協働してガイドするものでもある。また、第２ガイド溝１３Ａは、挿入規制用可動体２９Ａが挿入規制姿勢から挿入許容姿勢に変化するのを、下部突起３１と協働してガイドするものである。第３ガイド溝１４Ａは、挿入規制用可動体２９Ａが挿入許容姿勢の状態で挿入・排出方向へ移動するのを、下部突起３１と協働してガイドするものである。第４ガイド溝１５Ａは、スライダ３７がロックされた状態で第２カード１０１が抜き取られた場合に、挿入規制用可動体２９Ａが挿入規制姿勢に復帰しつつ、第３ガイド溝１４Ａから第１ガイド溝１２Ａへ移動するのを、下部突起３１と協働してガイドするものである。
【００５８】
ケース本体５の底板９の右側部にも、図８に示すように、第１〜第４ガイド溝１２Ａ〜１５Ａと同様の第１〜第４ガイド溝１２Ｂ〜１５Ｂが設けられている。
【００５９】
このように構成された本実施形態の動作について説明する。
【００６０】
はじめに、第１カード１００がケース１に挿入されたときの本実施形態の動作について図９〜１５を用いて説明する。
【００６１】
使用者が挿入口２に第１カード１００の前端部を挿入すると、この第１カード１００の前端部は、傾斜した板部２６Ａ，２６Ｂにガイドされて、板部２６Ａ，２６Ｂのそれぞれとスライダ３７との間に形成された間隔に挿入される。これらの間隔は第１カード１００の厚さ寸法よりも大きい寸法に予めつくられているので、図９に示すように、第１カード１００の前端部はロック用可動体２５Ａ，２５Ｂを回動させることなく、これらの間隔ＤＡ，ＤＢに挿入される。
【００６２】
ロック用可動体２５Ａ，２５Ｂが回動しないため、対のガイド用可動体２０Ａ，２０Ｂのそれぞれは、ロック用可動体２５Ａ，２５Ｂのそれぞれの突起部２７Ａ，２７Ｂによりロックされて初期状態に保持される。つまり、対のガイド用可動体２０Ａ，２０Ｂの間隔寸法は第１カード１００の幅寸法に対応する長さに保持される。したがって、図１０〜１３に示すように、第１カード１００は対のガイド用可動体２０Ａ，２０Ｂによって幅方向への移動を規制されながら、ケース１の奥に向かって移動する。
【００６３】
また、図９に示すように第１カード１００がロック用可動体２５Ａ，２５Ｂを通過した直後は、第１カード１００は、その厚さ方向への移動を、ロック用可動体２５Ａ，２５Ｂの板部２６Ａ，２６Ｂとスライダ３７により規制されながらケース１の奥に向かって移動していく。そして、図１０〜１３に示すように第１カード１００の前端部が対のガイド用可動体２０Ａ，２０Ｂの舌状突出部２２Ａ，２２Ｂを通過すると、これらの舌状突出部２２Ａ，２２Ｂによっても、第１カード１００はその厚さ方向への移動を規制されながらケース１の奥に向かって移動していく。舌状突出部２２Ａ，２２Ｂは、板部２６Ａ，２６Ｂが回動するほど強い力で第１カード１００が底板９方向へ押圧された場合に、第１カード１００が底板９に近づく方向へ移動するのを規制することになる。
【００６４】
また、図１１〜１３に示すように、第１カード１００は第２カード検知部材３３Ａ，３３Ｂ上を通過して、フック３０Ａ，３０Ｂに引っ掛かる。これらのフック３０Ａ，３０Ｂは第１カード１００により押圧されてケース１の奥に向かって僅かに回動した後、フック３０Ａは下部突起３１と第１ガイド溝１２Ａにより回動を阻止された状態になり、フック３０Ｂは上部突起３２とガイド孔４４により回動を阻止され状態になる。
【００６５】
この状態では、第１カード１００からフック３０Ａ，３０Ｂに与えられる押圧力の一部がガイド用可動体２０Ａ，２０Ｂに与えられることで、これらのガイド用可動体２０Ａ，２０Ｂは第１カード１００を挟持した状態となる。
【００６６】
また、第１カード１００に与えられる挿入方向の押圧力の一部が、挿入規制用可動体２９Ａ，２９Ｂを介してスライダ３７に与えられるため、図１４に示すように第１カード１００とともにスライダ３７が、圧縮コイルばね４６（図９〜２５では省略してある）の弾性力に抗して移動する。これに伴い、ガイド用可動体２０Ａ，２０Ｂと挿入規制用可動体２９Ａ，２９Ｂもケース１の奥に向かって移動する。このときの挿入規制用可動体２９Ａの移動は、フック３０Ａの下部突起３１と第１ガイド溝１２Ａとによりガイドされる。挿入規制用可動体２９Ｂの移動も同様に、フック３０Ｂの上部突起（図示しない）と第１ガイド溝１２Ｂとによりガイドされる。
【００６７】
また、スライダ３７がケース１の奥に向かって移動するのに伴い、ガイド用可動体２０Ａ，２０Ｂはロック用可動体２５Ａ，２５Ｂの突起部２７Ａ，２７Ｂから離れてロックが解除された状態となるが、前述したように第１カード１００を挟持した状態になっているので、第１カード１００の幅方向への移動は抑制されている。
【００６８】
そして、スライダ３７が第１カード１００とともに挿入の限界位置まで移動し、その後、第１カード１００に対する挿入方向への押圧力が取除かれると、ハート型カム溝４３とロック部材４９と圧縮コイルばね４６とが協働して、所定位置にスライダ３７をロックする。これにより、図１５に示すように、第１カード１００のケース１への装着が完了する。
【００６９】
使用者は、このようにしてケース１に装着された第１カード１００をケース１から抜取る場合、通常、第１カード１００を再び挿入の限界位置まで押し込み、その後、第１カード１００を押し込むのをやめる、ということを行う。このようにすると、ハート型カム溝４３とロック部材４９と圧縮コイルばね４６とが協働してスライダ３７のロックを解除する。ロックを解除されたスライダ３７は圧縮コイルばね４６により付勢されて第１カード１００とともに排出方向へ移動する。これにより、本実施形態は図１２や図１３に示す状態に戻る。つまり、装着が完了した状態よりもケース１から第１カード１００の後端部が突出した状態になるので、第１カード１００を抜き取りやすくなる。
【００７０】
次に、第２カード１０１がケース１に挿入されたときの本実施形態の動作について図１６〜２５を用いて説明する。
【００７１】
使用者が、図１６，１７に示すように、第２カード１０１の前端部を挿入口２に挿入すると、この第２カード１０１の前端部はロック用可動体２５Ａ，２５Ｂのそれぞれの板部２６Ａ，２６Ｂを押倒して、これらの板部２６Ａ，２６Ｂが開口部１０に格納される。これに伴い、ロック用可動体２５Ａ，２５Ｂのそれぞれの突起部２７Ａ，２７Ｂが、ガイド用可動体２０Ａ，２０Ｂのそれぞれよりも下方に移動し、ガイド用可動体２０Ａ，２０Ｂのロックが解除される。
【００７２】
板部２６Ａ，２６Ｂ上を通過した第２カード１０１の前端部は、図１７〜２０に示すようにガイド用可動体２０Ａ，２０Ｂのテーパ面２１Ａ，２１Ｂ、舌状突出部２２Ａ，２２Ｂを押圧する。これに伴い、対のガイド用可動体２０Ａ，２０Ｂの間隔が広がる。つまり、対のガイド用可動体２０Ａ，２０Ｂは作動状態になって、第２カード１０１の挿入方向への移動が許容される。
【００７３】
また、図２０〜２２に示すように、第２カード１０１の前端部は第２カード検知部材３３Ａ，３３Ｂのそれぞれのテーパ面３４Ａ，３４Ｂを押圧する。これに伴い、挿入規制用可動体２９Ａは、フック３０Ａの下部突起３１と第２ガイド溝１３Ａとによりガイドされて、第１カード１００の挿入を規制する挿入規制姿勢から第２カード１０１の挿入を許容する挿入許容姿勢に変化し、ガイド用可動体２０Ａと底板９との間に格納される。挿入規制用可動体２９Ｂも同様にして挿入許容姿勢に変化し、ガイド用可動体２０Ｂと底板９との間に格納される。つまり、第１カード１００よりもケース１の奥への第２カード１０１の移動が許容される。
【００７４】
挿入規制用可動体２９Ａ，２９Ｂを通過した第２カード１０１の前端部は、図２３に示すようにスライダ３７の前端の内壁面４２に当接し、スライダ３７を圧縮コイルばね４６（図示を省略してある）の弾性力に抗して押圧する。これにより、図２４に示すように第２カード１０１とともにスライダ３７がケースの奥に向かって移動する。これに伴い、ガイド用可動体２０Ａ，２０Ｂと挿入規制用可動体２９Ａ，２９Ｂも、挿入方向へ移動する。このとき、挿入規制用可動体２９Ａの移動は、フック３０Ａの下部突起３１と第３ガイド溝１４Ａとによりガイドされる。挿入規制用可動体２９Ｂの移動も同様に、フック３０Ｂの下部突起（図示しない）と第３ガイド溝１４Ｂとによりガイドされる。
【００７５】
スライダ３７が第２カード１０１とともに挿入の限界位置まで移動し、その後、第２カード１０１に対する挿入方向への押圧力が取除かれると、第１カード１００の挿入時と同様に、ハート型カム溝４３とロック部材４９と圧縮コイルばね４６とが協働して、所定位置にスライダ３７をロックする。これにより、図２５に示すように、第２カード１０１のケース１への装着が完了する。
【００７６】
使用者は、このようにしてケース１に装着された第２カード１０１をケース１から抜取る場合、通常、第１カード１００を抜取る場合と同様にして、スライダ３７のロックを解除する。これにより、本実施形態は図２３のような状態に戻る。つまり、装着が完了した状態よりもケース１から第２カード１０１の後端部が突出した状態になるので、第２カード１０１を抜き取りやすくなる。
【００７７】
使用者によっては、ロックされているとは知らず、スライダ３７のロックを解除せずに第２カード１０１を抜取る場合がある。この場合、ねじりコイルばね３５Ａ，３６Ａによる付勢と、下部突起３１と第４ガイド溝１５Ａによるガイドとによって、挿入規制用可動体２９Ａが第３ガイド溝１４Ａから第１ガイド溝１２Ａに移動し、挿入規制姿勢になる。挿入規制用可動体２９Ｂも同様にして挿入規制姿勢になる。
【００７８】
この状態は、図１５に示す状態から第１カード１００を取除いた状態とほぼ同じ状態であり、第１，第２カード１００，１０１を再び装着することが可能である。つまり、第１カード１００を挿入すると、前述した過程を経ることなく直接図１５に示す状態となる。一方、第２カード１０１を挿入すると、挿入規制用可動体２９Ａが第１ガイド溝１２Ａから第３ガイド溝１４Ａに移動して挿入許容姿勢になって、同様に挿入規制用可動体２９Ｂも挿入許容姿勢になって、図２５に示す状態になる。
【００７９】
本実施形態によれば次の効果を得られる。
【００８０】
本実施形態では、可動ガイド手段のガイド用可動体２０Ａ，２０Ｂが、ケース１内の幅方向において対向して対をなしている。初期状態における対のガイド用可動体２０Ａ，２０Ｂ間の間隔寸法は、第１カード１００の幅寸法に対応する間隔寸法に保持され、作動状態における対のガイド用可動体２０Ａ，２０Ｂの間隔寸法は、第２カード１０１の幅寸法に対応する間隔寸法に拡張される。つまり、ケース１の幅方向において対向する対のガイド用可動体２０Ａ，２０Ｂの協働により、ケース１内に形成されるカードの収納スペースの幅寸法が狭まって、第１カード１００の挿入をガイドする状態になる。これにより、第１カード１００を挿入口２の幅方向における一方側に寄せなくても挿入口２に挿入できる。この結果、第１カード１００のケース１への挿入性を向上させることができる。
【００８１】
また、本実施形態では、ロック用可動体２５Ａ，２５Ｂのそれぞれが、第１カード１００の挿入時に初期状態に固定されるようガイド用可動体２０Ａ，２０Ｂのそれぞれをロックし、第２カード１０１の挿入時にガイド用可動体２０Ａ，２０Ｂのロックを解除するので、第１カード１００の挿入をガイドする状態と、第２カード１０１の挿入をガイドする状態とを確実に切換えることができる。
【００８２】
また、本実施形態では、第１カード１００が挿入口２から挿入されると、挿入規制用可動体２９Ａ，２９Ｂは第１カード１００の挿入方向への移動の限界位置を第２カード１０１の挿入方向への移動の限界位置よりも挿入口２側に規制する。また、第２カード１０１が挿入口２から挿入されると、挿入規制用可動体２９Ａは第２カード１０１で押圧されてねじりコイルばね３５Ａ，３６Ａの弾性力に抗して挿入規制姿勢から挿入許容姿勢に変化し、同様に挿入規制用可動体２９Ｂは第２カード１０１で押圧されてねじりコイルばね３５Ｂ，３６Ｂの弾性力に抗して挿入規制姿勢から挿入許容姿勢に変化し、第１カード１００の挿入方向への移動の限界位置よりもケース１の奥への第２カード１０１の移動を許容する。これにより、第２カード１０１の挿入方向への移動を妨げることなく、第１カード１００がケース１の奥に入り過ぎるのを防止することができる。
【００８３】
また、本実施形態では、第２カード１０１が挿入口２に挿入された場合、ロック用可動体２５Ａ，２５Ｂは、第２カード１０１の厚さ寸法が第１カード１００の厚さ寸法よりも大きいことを検知することによって第２カード１０１の挿入を検知し、ガイド用可動体２０Ａ，２０Ｂのロックを解除する。これにより、第１，第２カード１００，１０１の厚さ寸法の差に応じて、ガイド用可動体２０Ａ，２０Ｂのロックとロックの解除とを確実に切換えることができる。
【００８４】
また、本実施形態では、板部２６Ａ，２６Ｂが回動するほど強い力で第１カード１００が底板９方向へ押圧された場合に、舌状突出部２２Ａ，２２Ｂによって、第１カード１００が底板９に近づく方向へ移動するのを規制することができる。
【００８５】
また、本実施形態では、ハート型カム溝４３付きのスライダ３７、ロック部材４９、圧縮コイルばね４６の協働によって、ケース１から第１カード１００や第２カード１０１を押出して抜取りやすくすることができる。
【００８６】
また、本実施形態では、第１ガイド溝１２Ａ，１２Ｂのそれぞれは挿入規制用可動体２９Ａ，２９Ｂのそれぞれが挿入規制姿勢の状態で挿入・排出方向へ移動するのをガイドし、第２ガイド溝１３Ａ，１３Ｂのそれぞれは挿入規制用可動体２９Ａ，２９Ｂのそれぞれが挿入規制姿勢から挿入許容姿勢に変化するのをガイドし、第３ガイド溝１４Ａ，１４Ｂのそれぞれは挿入規制用可動体２９Ａ，２９Ｂのそれぞれが挿入許容姿勢の状態で挿入・排出方向へ移動するのをガイドする。これらにより、スライダ３７の挿入・排出方向への移動に伴う挿入規制用可動体２９Ａ，２９Ｂの動作不良を防止することができる。
【００８７】
また、第２カード１０１の装着に伴ってスライダ３７がロックされた状態で第２カード１０１が抜取られた場合に、第４ガイド溝１５Ａ，１５Ｂのそれぞれが、挿入規制用可動体２９Ａ，２９Ｂのそれぞれの挿入規制姿勢への復帰と、挿入規制用可動体２９Ａ，２９Ｂのそれぞれが第３ガイド溝１４Ａ，１４Ｂのそれぞれから第１ガイド溝１２Ａ，１２Ｂのそれぞれへ移動するのをガイドする。これにより、スライダ３７のロックが解除されないまま第２カード１０１が抜き取られ後でも、第１カード１００を装着することができる。
【００８８】
また、本実施形態では、ガイド用可動体２０Ａ，２０Ｂをスライダ３７に組み付け、挿入規制用可動体２９Ａ，２９Ｂをガイド用可動体２０Ａ，２０Ｂのそれぞれに組み付けるようにしたので、ガイド用可動体２０Ａ，２０Ｂ、挿入規制用可動体２９Ａ，２９Ｂ、スライダ３７をまとめて一度にケース本体５に組み込むことができる。これにより、カード用コネクタの組立性を向上させることができる。
【図面の簡単な説明】
【００８９】
【図１】本発明のカード用コネクタの最良の実施形態の外観を示す４面図であって、（ａ）は上面図、（ｂ）は左側面図、（ｃ）は前面図、（ｄ）は背面図である。
【図２】図１に示す実施形態に挿入される第１カードの上面図である。
【図３】図１に示す実施形態に挿入される第２カードの上面図である。
【図４】図１に示す実施形態の分解斜視図である。
【図５】図１のＶ−Ｖ拡大断面図である。
【図６】図１に示す実施形態に備えられるスライダの５面図であり、（ａ）は上面図、（ｂ）は左側面図、（ｃ）は右側面図、（ｄ）は前面図、（ｅ）は背面図である。
【図７】図６に示すスライダの下面図である。
【図８】図１に示す実施形態から金属カバーを取除いてスライダ（１点鎖線）を透かした平面図である。
【図９】挿入口に挿入された第１カードの前端部が、ロック用可動体上を通過したときのケース内の状態を示し、（ａ）はその状態を、金属カバーを取除いてスライダを透かして見た場合の平面図、（ｂ）は「（ａ）」のｂ−ｂ断面図である。
【図１０】図９に示す状態よりも第１カードが挿入方向へ移動し、ガイド用可動体により挿入方向への移動をガイドされている状態を示す図である。
【図１１】図１０に示す状態よりも第１カードが挿入方向へ移動し、第１カードの右前の角部が挿入規制用可動体の第２カード検知部材に近接した状態を示す図である。
【図１２】図１１に示す状態よりも第１カードが挿入方向へ移動し、第１カードの前端部が第２カード検知部材上に位置している状態を示す図である。
【図１３】図１２に示す状態よりも第１カードが挿入方向へ移動し、挿入規制用可動体を挿入方向へ押圧して回動させた状態を示し、（ａ）はその状態を金属カバーを取除いてスライダを透かして見た場合の平面図、（ｂ）は「（ａ）」のｂ−ｂ断面図である。
【図１４】図１３の続きであって、第１カードが挿入規制用可動体を介してスライドを挿入方向へ押圧し、このスライダとともに挿入方向へ移動している状態を示す図である。
【図１５】第１カードのケースへの装着が完了した状態を示す図である。
【図１６】挿入口から挿入された第２カードの前端部がロック用可動体に近接した状態を示す図である。
【図１７】図１６に示す状態よりも第２カードが挿入方向へ移動し、ロック用可動体の板部を押倒した状態を示す図である。
【図１８】図１７に示す状態よりも第２カードが挿入方向へ移動し、対のガイド用可動体を押し広げ始めた状態を示す図である。
【図１９】図１８の続きであって、第２カードが対のガイド用可動体を押し広げながら挿入方向へ移動している状態を示す図である。
【図２０】第２カードの挿入方向への移動に伴って対のガイド用可動体が限界まで押し広げられた状態を示す図である。
【図２１】図２０に示す状態よりも第２カードが挿入方向へ移動し、右側の挿入規制用可動体を、押し退けている状態を示す図である。
【図２２】図２１に示す状態よりも第２カードが挿入方向へ移動し、右側の挿入規制用可動体を押し退け終え、左側の挿入規制用可動体を押し退けている状態を示す図である。
【図２３】図２２に示す状態よりも第２カードが挿入方向へ移動し、スライドの前端部の内壁面に当接した状態を示す図である。
【図２４】図２３の続きであって、第２カードがスライドを押圧し、スライダとともに挿入方向へ移動している状態を示す図である。
【図２５】第２カードのケースへの装着が完了した状態を示す図である。
【符号の説明】
【００９０】
１              ケース
２              挿入口
３              左縁部
４              右縁部
５              ケース本体
６              左側壁
７              右側壁
８              円柱部
９              底板
１０            開口部
１１            支持溝
１２Ａ，１２Ｂ  第１ガイド溝
１３Ａ，１３Ｂ  第２ガイド溝
１４Ａ，１４Ｂ  第３ガイド溝
１５Ａ，１５Ｂ  第４ガイド溝
１６            第１端子群
１７            第２端子群
１８            金属製カバー
１９            片持ちばね部
２０Ａ，２０Ｂ  ガイド用可動体
２０ａ，２０ｂ  軸孔
２１Ａ，２１Ｂ  テーパ面
２２Ａ，２２Ｂ  舌状突出部
２３Ａ，２３Ｂ  テーパ面
２４Ａ，２４Ｂ  ねじりコイルばね
２５Ａ，２５Ｂ  ロック用可動体
２６Ａ，２６Ｂ  板部
２７Ａ，２７Ｂ  突起部
２８Ａ，２８Ｂ  ねじりコイルばね
２９Ａ，２９Ｂ  挿入規制用可動体
３０Ａ，３０Ｂ  フック
３１            下部突起
３２            上部突起
３３Ａ，３３Ｂ  第２カード検知部材
３４Ａ，３４Ｂ  テーパ面
３５Ａ，３５Ｂ  ねじりコイルばね
３６Ａ，３６Ｂ  ねじりコイルばね
３７            スライダ
３８，３９      左側壁
４０，４１      右側壁
４２            内壁面
４３            ハート型カム溝
４４            ガイド孔
４５            円柱部
４６            圧縮コイルばね
４７            回動軸
４８            回動軸
４９            ロック部材
１００          第１カード
１０１          第２カード
【図１】
2007123115.tif 000003
【図２】
2007123115.tif 000004
【図３】
2007123115.tif 000005
【図４】
2007123115.tif 000006
【図５】
2007123115.tif 000007
【図６】
2007123115.tif 000008
【図７】
2007123115.tif 000009
【図８】
2007123115.tif 000010
【図９】
2007123115.tif 000011
【図１０】
2007123115.tif 000012
【図１１】
2007123115.tif 000013
【図１２】
2007123115.tif 000014
【図１３】
2007123115.tif 000015
【図１４】
2007123115.tif 000016
【図１５】
2007123115.tif 000017
【図１６】
2007123115.tif 000018
【図１７】
2007123115.tif 000019
【図１８】
2007123115.tif 000020
【図１９】
2007123115.tif 000021
【図２０】
2007123115.tif 000022
【図２１】
2007123115.tif 000023
【図２２】
2007123115.tif 000024
【図２３】
2007123115.tif 000025
【図２４】
2007123115.tif 000026
【図２５】
2007123115.tif 000027